(57)【要約】      （修正有）【課題】用紙サイズの選択が可能な情報処理装置のプログラムであって、用紙サイズの選択時の使い勝手を向上させる技術を提供する。【解決手段】ＰＣ１は、用紙サイズを含む設定データを登録ＤＢに登録しておき、プリンタ２に設定されている用紙サイズをプリンタ２から取得した場合に、登録ＤＢに記憶されている複数の設定データの中から、プリンタ２から取得した用紙サイズと同じ用紙サイズに対応する設定データを抽出し、抽出した設定データに関連付けられたモードが現在のモードと対応しない場合に、用紙サイズに関する報知を行う。【選択図】図１
2020149384.tif 000002
【特許請求の範囲】
【請求項１】
情報処理装置のコンピュータによって実行可能であり、プリンタでの印刷に用いる用紙サイズの設定を行うための処理を実行するプログラムであって、
前記コンピュータに、
前記情報処理装置の通信インタフェースを介して、前記プリンタから前記プリンタに設定されている用紙サイズを取得する取得処理と、
前記情報処理装置のメモリに記憶されている複数の設定データの中から、前記取得処理にて取得した用紙サイズと同じ用紙サイズに対応する設定データを抽出する抽出処理と、を実行させ、前記プログラムには、特定の印刷に用いる設定を行う第１モードと、前記特定の印刷以外の印刷でも用いる設定を行う第２モードと、があり、前記設定データは、用紙サイズを含む印刷設定を示すデータであり、さらに前記設定データには、前記プログラムのモードを関連付けることが可能であり、
さらに前記コンピュータに、
前記抽出処理にて設定データが抽出された場合であって、かつ抽出された設定データに関連付けられるモードが現在のモードに対応していない場合に、用紙サイズに関する報知を行う報知処理と、
を実行させる、
ことを特徴とするプログラム。
【請求項２】
請求項１に記載するプログラムであって、
前記取得処理では、
前記通信インタフェースを介して、前記プリンタに対して計測指示を送信し、前記プリンタが前記計測指示を受信することで前記プリンタにセットされている用紙のサイズを計測した結果を、前記プリンタから受信する、
ことを特徴とするプログラム。
【請求項３】
請求項１または請求項２に記載するプログラムであって、
前記コンピュータに、
前記第１モードの状態中に用紙サイズの取得を示す入力を受け付けた場合に、前記取得処理を実行させ、
前記報知処理では、
前記抽出処理にて設定データが抽出された場合であって、かつ抽出された設定データに関連付けられるモードが前記第１モードに対応していない場合に、用紙サイズに関する前記報知を行う、
ことを特徴とするプログラム。
【請求項４】
請求項１から請求項３のいずれか１つに記載するプログラムであって、
前記特定の印刷は、印刷対象の画像の一部を抽出し、抽出した画像の印刷を行うクロップ印刷であり、
前記第１モードは、前記クロップ印刷に用いる設定を行うクロップ印刷設定モードである
ことを特徴とするプログラム。
【請求項５】
請求項１から請求項４のいずれか１つに記載するプログラムであって、
前記コンピュータに、
前記抽出処理にて設定データが抽出された場合であって、かつ抽出された設定データによって示されるモードが現在のモードに対応していない場合に、現在のモード以外に対応可能なモードがあれば、当該対応可能なモードに切り替える切替処理を実行させる、
ことを特徴とするプログラム。
【請求項６】
請求項１から請求項５のいずれか１つに記載するプログラムであって、
前記報知処理では、
前記報知として、前記プリンタにセットされている用紙が現在のモードに対応していないことを前記情報処理装置の表示デバイスに表示させる、
ことを特徴とするプログラム。
【請求項７】
請求項１から請求項６のいずれか１つに記載するプログラムであって、
前記コンピュータに、
前記抽出処理にて設定データが抽出されなかった場合に、前記取得処理にて取得した用紙サイズに対する新たな前記設定データを前記メモリに記憶する第１記憶処理を実行させる、
ことを特徴とするプログラム。
【請求項８】
請求項７に記載するプログラムであって、
前記第１記憶処理では、
前記取得処理にて取得した用紙サイズが前記第１モードに対応可能なサイズの場合、前記設定データに前記第１モードを関連付けて前記メモリに記憶し、前記取得処理にて取得した用紙サイズが前記第１モードに対応不可のサイズの場合、前記設定データに前記第２モードを関連付けて前記メモリに記憶する、
ことを特徴とするプログラム。
【請求項９】
請求項１から請求項８のいずれか１つに記載するプログラムであって、
前記コンピュータに、
前記抽出処理にて設定データが抽出された場合であっても、抽出された設定データからモードが特定できない場合に、前記取得処理にて取得した用紙サイズに対する前記設定データに前記プログラムのモードを関連付けて前記メモリに記憶する第２記憶処理を実行させる、
ことを特徴とするプログラム。
【請求項１０】
請求項９に記載するプログラムであって、
前記第２記憶処理では、
前記第１モードとするか前記第２モードとするかの選択を受け付け、前記取得処理にて取得した用紙サイズに対する前記設定データに、選択されたモードを関連付けて前記メモリに記憶する、
ことを特徴とするプログラム。
【請求項１１】
請求項１から請求項１０のいずれか１つに記載するプログラムであって、
前記コンピュータに、
前記抽出処理にて設定データが抽出された場合であっても、現在選択されている印刷設定が、抽出された設定データによって示される印刷設定と異なる場合に、印刷設定を、抽出された設定データによって示される印刷設定に変更する変更処理を実行させる、
ことを特徴とするプログラム。
【請求項１２】
請求項１から請求項１１のいずれか１つに記載するプログラムであって、
前記コンピュータに、
現在選択されている用紙サイズおよび前記プログラムのモードを取得し、取得した用紙サイズに対する前記設定データに、取得したモードを関連付けて前記メモリに記憶する第３記憶処理を実行させる、
ことを特徴とするプログラム。
【請求項１３】
情報処理装置のコンピュータによって実行可能であり、プリンタでの印刷に用いる用紙サイズの設定を記憶するための処理を実行する記憶用のプログラムであって、前記情報処理装置には、印刷設定の選択を受け付けるための処理を実行する設定用のプログラムが組み込まれており、前記設定用のプログラムには、特定の印刷に用いる設定を行う第１モードと、前記特定の印刷以外の印刷でも用いる設定を行う第２モードと、があり、
前記コンピュータに、
用紙サイズおよび前記設定用のプログラムのモードを取得し、取得した用紙サイズに対する設定データに、取得したモードを関連付けて前記情報処理装置のメモリに記憶する記憶処理を実行させ、前記情報処理装置は、前記プリンタから前記プリンタに設定されている用紙サイズを取得することが可能であり、さらに複数の設定データの中から、前記プリンタから取得した用紙サイズと同じ用紙サイズに対応する設定データが抽出された場合であって、かつ抽出された設定データに関連付けられるモードが前記設定用のプログラムの現在のモードに対応していない場合に、用紙サイズに関する報知を行うことが可能であり、前記設定データは、用紙サイズを含む印刷設定を示すデータであり、さらに前記設定データには、前記設定用のプログラムのモードを関連付けることが可能である、
ことを特徴とする記憶用のプログラム。
【請求項１４】
メモリと、
通信インタフェースと、
コンピュータと、
を備える情報処理装置であって、
前記メモリには、複数の設定データが記憶されており、
前記設定データは、プリンタでの印刷に用いる用紙サイズを含む印刷設定を示すデータであり、さらに前記設定データには、モードを関連付けることが可能であり、
前記モードには、特定の印刷に用いる設定を行う第１モードと、前記特定の印刷以外の印刷でも用いる設定を行う第２モードと、があり、
前記コンピュータは、
前記通信インタフェースを介して、前記プリンタから前記プリンタに設定されている用紙サイズを取得する取得処理と、
前記メモリに記憶されている複数の設定データの中から、前記取得処理にて取得した用紙サイズと同じ用紙サイズに対応する設定データを抽出する抽出処理と、
前記抽出処理にて設定データが抽出された場合であって、かつ抽出された設定データに関連付けられるモードが現在のモードに対応していない場合に、用紙サイズに関する報知を行う報知処理と、
を実行する、
ことを特徴とする情報処理装置。
【発明の詳細な説明】
【技術分野】
【０００１】
本明細書に開示される技術分野は、プリンタでの印刷に用いる設定を行うプログラムおよび情報処理装置に関する。
【背景技術】
【０００２】
パーソナルコンピュータ等の情報処理装置において、ユーザによる用紙サイズの選択を受け付け、その選択された用紙サイズに基づいてプリンタに対して印刷を指示する技術が知られている。例えば、特許文献１には、情報処理装置から出力された印刷データにユーザ定義の用紙サイズが指定されていた場合に、管理サーバによって適切なプリンタ用紙を選択する技術が開示されている。
【先行技術文献】
【特許文献】
【０００３】
【特許文献１】特開２０１４−６３３８６号公報
【発明の概要】
【発明が解決しようとする課題】
【０００４】
ユーザが情報処理装置から用紙サイズを選択する際、必ずしもプリンタの近くにいるとは限らない。そのため、プリンタにセットされている用紙を確認できず、適切な用紙サイズを選択できないこともあり、消耗品を無駄に使用してしまう場合がある。また、プリンタの近くにいない場合、用紙を確認するためにプリンタまで移動することは、ユーザにとって手間がかかる。特許文献１では、用紙サイズの選択時の詳細に関する技術が開示されていない。
【０００５】
本明細書は、用紙サイズの選択が可能な情報処理装置のプログラムであって、用紙サイズの選択時の使い勝手を向上させる技術を開示する。
【課題を解決するための手段】
【０００６】
上述した課題の解決を目的としてなされたプログラムは、情報処理装置のコンピュータによって実行可能であり、プリンタでの印刷に用いる用紙サイズの設定を行うための処理を実行するプログラムであって、前記コンピュータに、前記情報処理装置の通信インタフェースを介して、前記プリンタから前記プリンタに設定されている用紙サイズを取得する取得処理と、前記情報処理装置のメモリに記憶されている複数の設定データの中から、前記取得処理にて取得した用紙サイズと同じ用紙サイズに対応する設定データを抽出する抽出処理と、を実行させ、前記プログラムには、特定の印刷に用いる設定を行う第１モードと、前記特定の印刷以外の印刷でも用いる設定を行う第２モードと、があり、前記設定データは、用紙サイズを含む印刷設定を示すデータであり、さらに前記設定データには、前記プログラムのモードを関連付けることが可能であり、さらに前記コンピュータに、前記抽出処理にて設定データが抽出された場合であって、かつ抽出された設定データに関連付けられるモードが現在のモードに対応していない場合に、用紙サイズに関する報知を行う報知処理と、を実行させる、ことを特徴とする。
【０００７】
上記構成を有するプログラムは、プログラムのモードが関連付けられた設定データの中に、プリンタに現在設定されている用紙サイズに対応する設定データがあり、その設定データに関連付けられるモードが現在のモードに対応していない場合に、用紙サイズに関する報知を行う。これにより、不適切な用紙がプリンタにセットされていることをユーザが推測することができる。よって、上記構成のプログラムによれば、不適切な用紙サイズが選択されている状態で特定の印刷が行われることを回避でき、ユーザが用紙サイズを確認する手間を低減することができる。
【０００８】
上記装置の機能を実現するための制御方法、コンピュータプログラム、および当該コンピュータプログラムを格納するコンピュータにて読取可能な記憶媒体も、新規で有用である。
【発明の効果】
【０００９】
本明細書に開示される技術によれば、用紙サイズの選択が可能な情報処理装置のプログラムであって、用紙サイズの選択時の使い勝手を向上させる技術が実現される。
【図面の簡単な説明】
【００１０】
【図１】実施の形態にかかる印刷システムの概略構成図である。
【図２】プリンタの内部構成の概略を示す説明図である。
【図３】クロップ印刷の概要を説明する図である。
【図４】登録データベースの構造の一例を示す図である。
【図５】用紙データベースの構造の一例を示す図である。
【図６】画面遷移の一例を示す図である。
【図７】印刷設定処理の手順を示すフローチャートである。
【図８】基本設定画面の一例を示す図である。
【図９】クロップ印刷設定画面の一例を示す図である。
【図１０】エラー報知の一例を示す図である。
【図１１】登録処理を示す図であって、（ａ）は登録処理の手順を示すフローチャー    トであり、（ｂ）は追加登録確認メッセージの画面表示の一例を示す図である。
【発明を実施するための形態】
【００１１】
以下、パーソナルコンピュータ（以下、「ＰＣ」とする）とプリンタとを含む印刷システムを具体化した実施の形態について、添付図面を参照しつつ詳細に説明する。本形態は、連続した帯状の印刷媒体に印刷するプリンタを含む印刷システムを開示するものである。
【００１２】
本形態の印刷システムは、図１に示すように、ＰＣ１と、プリンタ２と、サーバ３とを有し、インターネット４を介して互いに通信可能に接続されている。ＰＣ１は、プリンタ２に印刷させるための各種の処理を実行する装置である。ＰＣ１は、情報処理装置の一例である。具体的に、ＰＣ１は、サーバ３からの画像データの取得、用紙サイズの設定を含む各種印刷設定の受け付け、プリンタ２への印刷コマンドの送信等を行う。ＰＣ１に代えて、例えば、スマートフォン、タブレットコンピュータを用いることもできる。
【００１３】
ＰＣ１は、ＣＰＵ１１と、ＲＯＭ１２と、ＲＡＭ１３と、不揮発性メモリ１４と、を含む制御基板１０を備えている。さらに、ＰＣ１は、ネットワークインタフェース（以下、「ネットワークＩＦ」とする）１６と、ＵＳＢインタフェース（以下、「ＵＳＢ−ＩＦ」とする）１７と、ユーザインタフェース（以下、「ユーザＩＦ」とする）１８と、ディスプレイ１９と、を備え、これらが制御基板１０に電気的に接続されている。なお、図１中の制御基板１０は、ＰＣ１の制御に利用されるハードウェアやソフトウェアを纏めた総称であって、実際にＰＣ１に存在する単一のハードウェアを表すとは限らない。
【００１４】
ＣＰＵ１１は、ＲＯＭ１２や不揮発性メモリ１４から読み出したプログラムに従って、また、ユーザの操作に基づいて、各種の処理を実行する。ＣＰＵ１１は、コンピュータの一例である。ＲＯＭ１２には、ＰＣ１を起動するための起動プログラム等が記憶されている。ＲＡＭ１３は、各種の処理が実行される際の作業領域として、あるいは、データを一時的に記憶する記憶領域として利用される。不揮発性メモリ１４は、例えば、ＨＤＤ、フラッシュメモリであり、各種のアプリケーションプログラム（以下、「アプリ」とする）等のプログラム、画像データや文書データ等のデータ、各種設定を記憶する領域として利用される。ＲＯＭ１２、ＲＡＭ１３および不揮発性メモリ１４は、いずれもメモリの一例である。また、ＣＰＵ１１がＣＰＵバッファを備えているものであれば、ＣＰＵバッファもメモリの一例である。
【００１５】
メモリの一例はいずれも、コンピュータが読み取り可能なストレージ媒体であってもよい。コンピュータが読み取り可能なストレージ媒体とは、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。また、ｎｏｎ−ｔｒａｎｓｉｔｏｒｙな媒体は、ｔａｎｇｉｂｌｅな媒体でもある。一方、インターネット上のサーバなどからダウンロードされるプログラムを搬送する電気信号は、コンピュータが読み取り可能な媒体の一種であるコンピュータが読み取り可能な信号媒体であるが、ｎｏｎ−ｔｒａｎｓｉｔｏｒｙなコンピュータが読み取り可能なストレージ媒体には含まれない。
【００１６】
ネットワークＩＦ１６は、ＬＡＮ、インターネット４等のネットワークを介して、外部装置との通信を行うためのハードウェアを含む。ネットワークＩＦ１６の通信方式は、無線でも有線でもよく、どのような規格の方式でもよい。ＵＳＢ−ＩＦ１７は、ＵＳＢ規格に基づいた通信を行うためのハードウェアを含む。ＰＣ１とプリンタ２との通信は、ネットワークＩＦ１６を用いて行っても良いし、ＵＳＢ−ＩＦ１７を用いて行っても良い。ネットワークＩＦ１６またはＵＳＢ−ＩＦ１７は、通信インタフェースの一例である。
【００１７】
ユーザＩＦ１８は、キーボード、マウス等のユーザによる入力操作を受け付けるハードウェアを含む。ディスプレイ１９は、情報を画面に表示するハードウェアを含む。ディスプレイ１９は、表示デバイスの一例である。なお、ＰＣ１は、ユーザＩＦ１８とディスプレイ１９との両方の機能を備えたタッチパネル等を有していても良い。
【００１８】
本形態のＰＣ１は、不揮発性メモリ１４に、汎用アプリケーションプログラム（以下「汎用アプリ」という）４０と、オペレーティングシステム（以下、「ＯＳ」とする）４１と、登録データベース（以下、「登録ＤＢ」とする）４２と、用紙データベース（以下、「用紙ＤＢ」とする）４５と、を備えている。
【００１９】
汎用アプリ４０は、所定の形式、例えば、ＰＤＦ形式のファイルの閲覧、印刷等を実行するためのプログラムであり、具体的には、Ａｄｏｂｅ  Ｒｅａｄｅｒ（登録商標）である。ＯＳ４１には、プリンタ２を制御するプリンタドライバ４１１が組み込まれている。各プログラムの処理については、後述する。なお、プリンタドライバ４１１は、プログラムの一例である。
【００２０】
本形態のプリンタ２は、例えば、図２に示すように、印刷ヘッド２１と、ロール状に巻き取られた印刷媒体２２と、を内蔵し、印刷媒体２２への印刷と印刷媒体２２の搬送とを並行して行う、いわゆるラベルプリンタである。プリンタ２の印刷ヘッド２１は、例えば、熱転写方式のものであり、発熱素子である複数の印字ピンの列を備える。プリンタ２は、印刷ヘッド２１の各印字ピンを選択的に発熱させることで、印刷媒体２２への印刷を行う。
【００２１】
プリンタ２にて印刷に用いられる印刷媒体２２は、連続した帯状の基材２２１と、基材２２１の片面に貼着された印刷対象の用紙２２２とを含むものである。プリンタ２は、印刷媒体２２を巻き出しつつ印刷ヘッド２１にて用紙２２２に印刷する。これにより、図２に示すように、印刷媒体２２のうちの印刷済みの部分が、排出口２３から機外へ突出される。プリンタ２は、排出口２３の近傍に、例えば、手動式のカッター２４を備える。カッター２４がユーザによって操作されることで、機外へ突出した部分が残りの印刷媒体２２から切り取られて排出される。
【００２２】
プリンタ２にて用いられる印刷媒体２２には、印刷対象の用紙２２２の形状によって複数の用紙種類がある。用紙種類は、例えば、無定長テープ、ダイカットラベル、マーク付きメディアである。無定長テープは、基材２２１と同様の連続した帯状の用紙２２２が基材２２１に貼着されているものである。例えば、印刷済みの部分をカッター２４等で切り取ることで、無定長テープから所定の長さのラベルが作成される。ダイカットラベルは、所定の形状に予め形成された複数の用紙２２２が、基材２２１に所定の間隔を空けて貼着されているものである。マーク付きメディアは、印刷媒体２２の長手方向に所定の間隔でマークが設けられているものであり、各用紙２２２は１つずつのマークを含む範囲に設定されている。この印刷媒体２２は、プリンタメーカが提供する純正用紙でも、一般のロール紙など、サードパーティ製の非純正用紙でもよい。
【００２３】
なお、本形態のプリンタ２は、セットされている印刷媒体２２の用紙サイズを計測して計測結果を出力するサイズ計測機能を有していてもよい。例えば、プリンタ２は、搬送経路に光センサを備え、印刷媒体２２を搬送しつつ基材２２１上の用紙２２２の有無やマークの有無を光センサによって検知し、検知結果に基づいて搬送方向の長さを算出してもよい。また例えば、印刷媒体２２が純正用紙である場合、プリンタ２は、用紙カセットの孔等の識別子から用紙サイズを検知してもよい。なお、プリンタ２は、ユーザ操作によって設定された用紙サイズの設定値をメモリに記憶することができる。
【００２４】
また、本形態のプリンタ２は、排出口２３の外側にオプションユニット２５の装着が可能なものであってもよい。オプションユニット２５は、印刷後の印刷媒体２２に加工を施すユニットであり、例えば、カッターオプションである。カッターオプションは、印刷済みで排出口２３から排出された印刷媒体２２を自動的にカットするものであり、例えば、１ラベルごとにカット、全ラベルの後端でカット、の設定が可能である。また、カッターオプションは、１ラベルごとに切り離すカット、１ラベルごとに切り目を入れるカット、の設定が可能である。カッターオプションは、例えば、ロール紙を所定の長さでカットしてラベルを作成する場合に使用する。
【００２５】
プリンタ２は、ＰＣ２から受信した印刷コマンドに含まれる印刷の設定に基づいて画像を印刷媒体２２に印刷する。プリンタドライバ４１１は、汎用アプリ４０などの他のプログラムからの要求に応じて印刷設定画面を表示し、印刷の設定を受け付ける機能を有する。
【００２６】
本形態のプリンタドライバ４１１は、プリンタ２に対応するものであり、クロップ印刷設定画面を表示してクロップ印刷に用いる設定を行うクロップ印刷設定モードと、基本設定画面を表示してクロップ印刷以外でも用いる設定を行う基本印刷設定モードとを有する。本明細書において、クロップ印刷は、印刷対象の画像の一部を抽出し、抽出した画像をラベルに印刷することと、定義する。なお、クロップ印刷は、特有の印刷の一例である。クロップ印刷設定モードは、第１モードの一例であり、基本印刷設定モードは、第２モードの一例である。
【００２７】
本形態では、クロップ印刷は、商品ラベル又は発送ラベルの印刷に用いられる。例えば、商品ラベルをクロップ印刷する場合、図３に示すように、バーコード７１の画像７を１又は２以上含む画像８の画像データから、バーコードを含む画像７の画像データ（以下「バーコード画像データ」とする）を個別に抽出し、抽出した画像７を用紙２２２に印刷する、ダイカットラベルへの印刷であれば、通常、１枚の用紙２２２に対して、１個の画像７が印刷される。なお、画像７は、例えば、バーコード７１の他、商品名やコンディションなどの画像を含む。
【００２８】
また例えば、発送ラベルをクロップ印刷する場合、商品ラベルに印刷する画像と発送ラベルに印刷する画像とを含むＡ４サイズの画像データから、商品ラベルに印刷する画像の画像データと発送ラベルに印刷する画像の画像データをそれぞれ抽出し、用紙２２２のラベルに印刷する。発送ラベルに印刷される画像の画像データも、バーコード画像データを有する。
【００２９】
商品ラベル又は発送ラベルに印刷されるバーコードは、バーコードリーダによって正確に読み取ることができる必要がある。また、バーコードの画像を提供するサービス提供会社によって、商品ラベルと発送ラベルの大きさが指定されることがある。また、指定される大きさが、商品ラベルと発送ラベルとで異なることがある。また、ラベルの大きさは、商品の大きさや配送業者の規格、バーコードを印刷する位置などによって制限されることがある。よって、商品ラベルと発送ラベルのクロップ印刷に使用する用紙２２２は、上記制限に適した用紙サイズである必要がある。なお、基本印刷を行う場合、用紙２２２の用紙サイズが上記制限に適した用紙サイズである必要はない。
【００３０】
プリンタドライバ４１１は、プリンタ２と通信し、プリンタ２に設定されている用紙サイズをプリンタ２から取得する機能を有する。以下では、用紙サイズのうち、印刷媒体２２の搬送方向の大きさを、「用紙長さ」とし、搬送方向に直交する方向の大きさを、「用紙幅」とする。用紙幅は、セットされた印刷媒体２２によって決まる。例えば、用紙２２２の幅が基材２２１の幅よりも小さい場合、用紙幅は、用紙２２２の幅である。
【００３１】
用紙長さは、用紙種類や印刷データによってそれぞれ異なる。用紙種類が無定長テープの場合、用紙長さは、個々の印刷データの印刷対象となる範囲であり、印刷後に排出口２３から突出される長さである。用紙種類がダイカットラベルの場合、用紙長さは、基材２２１上に貼着されている切断済みの用紙２２２の１つの長さである。用紙種類がマーク付きメディアの場合、用紙長さは、搬送方向におけるマークの間隔である。
【００３２】
プリンタドライバ４１１は、よく使う印刷設定を登録ＤＢ４２に登録する機能を有する。プリンタドライバ４１１は、プリンタ２から取得した用紙サイズが登録ＤＢ４２に登録されていない場合に、その用紙サイズを含む設定データを登録ＤＢ４２に記憶する機能を有する。
【００３３】
登録ＤＢ４２は、例えば、図４に示すように、登録番号４４１、用紙サイズ４４２、モード４４３、用途４４４、用紙種４４５、オートカット４４６等の設定値を関連付けた設定データ４４を記憶している。
【００３４】
登録番号４４１は、設定データを識別する情報である。用紙サイズ４４２は、用紙２２２の用紙サイズに関する情報であり、用紙幅と用紙長さを含む。モード４４３は、基本印刷設定モード向けの設定データであるか、クロップ印刷設定モード向けの設定データであるかを示す情報である。用途４４４は、印刷物の用途を示す情報であり、例えば、商品ラベル、発送ラベルが記憶される。本形態では、用途４４４に商品ラベル又は発送ラベルが記憶される場合、モード４４３にクロップ印刷設定モードが記憶され、用途４４４に商品ラベル又は発送ラベルが記憶されない場合、モード４４３に基本印刷設定モードが記憶される。なお、用途４４４は、特定の印刷に用いる設定の一例である。
【００３５】
用紙種４４５は、用紙種類を示す情報であり、「無定長テープ」、「ダイカットラベル」、「マーク付きメディア」のいずれかの値が記憶される。オートカット４４６は、用紙を自動的にカットするか否かを示す情報であり、用紙を自動的に切り離すことを示す「カット」、用紙を幅方向の途中まで切断して切れ目を入れることを示す「ハーフカット」、用紙をカットしないことを示す「なし」の何れかの値が記憶される。
【００３６】
なお、設定データ４４は、例えば、プリンタドライバ４１１のインストール時や更新時に、登録ＤＢ４２に自動登録されてもよいし、ユーザＩＦ１８を用いて登録ＤＢ４２に登録されてもよい。例えば、純正用紙は、前者の方法で登録ＤＢ４２に登録でき、非純正用紙については、後者の方法で登録ＤＢ４２に登録できる。
【００３７】
用紙ＤＢ４５は、図５に示すように、モード毎の用紙サイズの可否を記憶するデータベースである。用紙ＤＢ４５は、予め、プリンタドライバ４１１に記憶されていてもよいし、サーバ等に問い合わせて取得してもよい。本形態の用紙ＤＢ４５は、商品ラベルと発送ラベルに対応する用紙サイズに、それぞれクロップ印刷設定モードを関連付けて記憶し、商品ラベルと発送ラベル以外に対応する用紙サイズに、基本印刷設定モードを関連付けて記憶している。
【００３８】
続いて、印刷システムの動作を説明する。例えば、ユーザは、商品毎に商品情報をＰＣ１に入力し、サーバ３に送信する。サーバ３は、商品情報に基づいてバーコード画像データを作成し、バーコード画像データを１又は２以上含むＡ４サイズの画像データをＰＣ１に返信する。ユーザが商品情報を１０個入力した場合、１０個のバーコード画像データを配列したＡ４サイズの画像データが、サーバ３からＰＣ１に送信される。
【００３９】
図６に示すように、ＰＣ１は、サーバ３から画像データを受信すると、汎用アプリ４０を用いてラベル画像表示画面Ｄ１をディスプレイ１９に表示させる。ラベル画像表示画面Ｄ１には、バーコードを含む画像７が一覧表示されている。また、ラベル画像表示画面Ｄ１には、印刷ボタンＡ１が表示されている。ＰＣ１は、ユーザＩＦ１８を用いて印刷ボタンＡ１が押下されると、汎用アプリ４０を用いて印刷設定用のダイアログＤＬ１をディスプレイ１９に表示させる。ダイアログＤＬ１には、プレビュー画像ＰＲ１と、プロパティボタンＡ２と、印刷ボタンＡ３が表示されている。
【００４０】
ユーザＩＦ１８を介してプロパティボタンＡ２が押下されると、汎用アプリ４０は、ＯＳのＡＰＩ（Application Programming Interface の略）を介してプリンタドライバ４１１を呼び出す。ＰＣ１は、この呼び出しを契機に、ＣＰＵ１１がプリンタドライバ４１１を起動させ、図７に示す印刷設定処理を実行する。
【００４１】
なお、以下の処理およびフローチャートの各処理ステップは、基本的に、各プログラムに記述された命令に従ったＣＰＵ１１の処理を示す。すなわち、以下の説明における「判断」、「抽出」、「選択」、「算出」、「決定」、「特定」、「取得」、「受付」、「制御」等の処理は、ＣＰＵ１１の処理を表している。ＣＰＵ１１による処理は、ＰＣ１のＯＳ４１のＡＰＩを用いたハードウェア制御も含む。本明細書では、ＯＳ４１の記載を省略して各プログラムの動作を説明する。すなわち、以下の説明において、「プログラムＢがハードウェアＣを制御する」という趣旨の記載は、「プログラムＢがＯＳ４１のＡＰＩを用いてハードウェアＣを制御する」ことを指してもよい。また、プログラムに記述された命令に従ったＣＰＵ１１の処理を、省略した文言で記載することがある。例えば、「ＣＰＵ１１が行う」、「プログラムが行う」のように記載することがある。
【００４２】
なお、「取得」は要求を必須とはしない概念で用いる。すなわち、ＣＰＵ１１が要求することなくデータを受信するという処理も、「ＣＰＵ１１がデータを取得する」という概念に含まれる。また、本明細書中の「データ」とは、コンピュータに読取可能なビット列で表される。そして、実質的な意味内容が同じでフォーマットが異なるデータは、同一のデータとして扱われるものとする。本明細書中の「情報」についても同様である。また、「要求する」、「指示する」とは、要求していることを示す情報や、指示していることを示す情報を相手に出力することを示す概念である。また、要求していることを示す情報や指示していることを示す情報のことを、単に、「要求」、「指示」とも記載する。
【００４３】
また、ＣＰＵ１１による、情報Ａは事柄Ｂであることを示しているか否かを判断する処理を、「情報Ａから、事柄Ｂであるか否かを判断する」のように概念的に記載することがある。ＣＰＵ１１による、情報Ａが事柄Ｂであることを示しているか、事柄Ｃであることを示しているか、を判断する処理を、「情報Ａから、事柄Ｂであるか事柄Ｃであるかを判断する」のように概念的に記載することがある。
【００４４】
まず、ＣＰＵ１１は、レジストリに記憶されている現在の印刷設定値を読み出し、ＲＡＭ１３に一時的に記憶させる（Ｓ１２）。現在の印刷設定値は、プリンタドライバ４１１がインストールされたときに設定されるデフォルト設定値のままである場合もあれば、例えば、図８、図９などで変更操作を受け付け、レジストリに記憶された設定値である場合もある。なお、このレジストリに記憶される印刷設定値は、プリンタドライバ４１１での印刷データ、プリンタへのコマンド作成に用いられる全ての設定項目が含まれている。レジストリは、不揮発性メモリ１４に設けられた、プリンタドライバ４１１用の記憶領域である。
【００４５】
それから、ＣＰＵ１１は、図８に示す基本設定画面Ｄ３をディスプレイ１９に表示させる（Ｓ１４）。基本設定画面Ｄ３は、プリンタドライバ４１１が基本印刷設定モードである場合に表示される。基本設定画面Ｄ３は、クロップ印刷以外の印刷でも用いる設定、つまり、クロップ印刷とそれ以外の印刷とで共用される基本の設定を受け付ける画面である。プリンタドライバ４１１は、印刷設定処理の開始時に基本印刷設定モードとして起動するようにプログラミングされている。
【００４６】
基本設定画面Ｄ３は、基本設定タブＴＢ３１とクロップ印刷タブＴＢ３２とを備える。基本設定タブＴＢ３１は、プリンタドライバ４１１を基本印刷設定モードとする指示を受け付けるオブジェクトである。クロップ印刷タブＴＢ３２は、プリンタドライバ４１１をクロップ印刷設定モードとする指示を受け付けるオブジェクトである。プリンタドライバ４１１は、基本印刷設定モードのときに、クロップ印刷タブＴＢ３２が選択されると、クロップ印刷設定モードになり、図９に示すクロップ印刷設定画面Ｄ４をディスプレイ１９に表示させる。なお、クロップ印刷設定画面Ｄ４は第１設定画面の一例であり、基本設定画面Ｄ３は第２設定画面の一例である。
【００４７】
クロップ印刷設定画面Ｄ４は、クロップ印刷で用いる印刷設定を受け付ける画面である。ＲＡＭ１３に記憶される印刷設定値のうち、クロップ印刷に関する設定値は、クロップ印刷設定画面Ｄ４のクロップ設定欄ＳＡ４１に設けられたラジオボタンＲ４１〜Ｒ４２に反映される。クロップ印刷設定画面Ｄ４にも、基本設定タブＴＢ３１とクロップ印刷タブＴＢ３２が設けられている。プリンタドライバ４１１は、クロップ印刷設定モードのときに、基本設定タブＴＢ３１が選択されると、基本印刷設定モードになり、図８に示す基本設定画面Ｄ３をディスプレイ１９に表示させる。
【００４８】
尚、基本設定タブＴＢ３１が選択されても、クロップ印刷タブＴＢ３２が選択されても、ＲＡＭ１３の設定値が変更されるわけではない。ＲＡＭ１３の設定値は、新たに表示される設定画面に反映される。
【００４９】
基本設定画面Ｄ３について図８を参照して具体的に説明すると、基本設定画面Ｄ３は、基本設定タブＴＢ３１とクロップ印刷タブＴＢ３２の他、設定表示領域ＤＡ３１と、基本設定領域ＤＡ３２と、ＯＫボタンＡ３１と、を備える。ＯＫボタンＡ３１は、印刷設定の確定を指示するボタンである。
【００５０】
設定表示領域ＤＡ３１は、ＲＡＭ１３に一時的に記憶されている印刷設定値を表示する領域である。基本設定領域ＤＡ３２は、標準設定項目が表示される領域である。基本設定領域ＤＡ３２には、用紙選択欄ＳＡ３１と、用紙サイズ欄ＳＡ３２と、部数欄ＳＡ３３と、オプション欄ＳＡ３４が表示される。
【００５１】
用紙選択欄ＳＡ３１は、用紙サイズの名称の選択を受け付ける欄である。用紙選択欄ＳＡ３１には、一般的な複数種の用紙サイズの名称、及び、登録ＤＢ４２に登録済みであって基本印刷設定モードと関連付けられている印刷媒体２２の名称が、選択肢として表示される。例えば、登録ＤＢに登録済みの印刷媒体２２の名称が選択されると、ＣＰＵ１１は、選択された用紙名称に対応して記憶されている印刷媒体２２の用紙サイズを用紙サイズ欄ＳＡ３２に表示させる。
【００５２】
用紙サイズ欄ＳＡ３２は、用紙サイズを受け付ける欄である。部数欄ＳＡ３３は、同じラベルを作成する部数の入力を受け付ける欄である。オプション欄ＳＡ３４は、ラベル作成時にオプションユニット２５を使用するか否かを示す情報の入力を受け付ける欄である。オプション欄ＳＡ３４には、例えば、用紙をカットする枚数を指定する「指定枚数ごとにカット」のチェックボックスや、用紙を切り離す「最後をカット」のチェックボックスや、用紙に切り目を入れる「ハーフカット」のチェックボックスが設けられている。
【００５３】
ここで、クロップ印刷設定画面Ｄ４は、例えば図９に示すように、基本設定領域ＤＡ３２に代えてクロップ印刷設定領域ＤＡ４２が設けられている。クロップ印刷設定領域ＤＡ４２は、ラジオボタンＲ４１〜Ｒ４３の選択に応じてクロップ印刷の設定を行うクロップ設定欄ＳＡ４１と、用紙サイズを選択する用紙サイズ欄ＳＡ４２と、クロップ設定欄ＳＡ４１にて設定された印刷のイメージ画像を表示するイメージ欄ＳＡ４３とを備える。クロップ印刷設定画面Ｄ４には、確認ボタンＡ４２が設けられている。確認ボタンＡ４２は、プリンタ２から用紙サイズを取得する指示を受け付ける入力オブジェクトである。
【００５４】
基本設定画面Ｄ３には、確認ボタンＡ４２が設けられていないので、基本設定画面Ｄ３を表示した直後は、ＣＰＵ１１が、確認ボタンＡ４２を押下したか否かを判断するＳ１６の処理を実行しない。つまり、Ｓ１６の処理は、クロップ印刷設定画面Ｄ４を表示しているときの処理であり、基本設定画面Ｄ３を表示しているときは、ＣＰＵ１１が、Ｓ１６の処理をスキップしてＳ３６に進み、タブ選択が変更されたか否かを判断する。
【００５５】
ユーザがユーザＩＦ１８を用いて基本設定画面Ｄ３のクロップ印刷タブＴＢ３２を選択すると（Ｓ３６：ＹＥＳ）、ＣＰＵ１１は、表示をクロップ印刷設定画面Ｄ４に切り替え（Ｓ３８）、ＲＡＭ１３の設定値をクロップ印刷設定画面Ｄ４に反映する（Ｓ４０）。
【００５６】
ユーザがクロップ印刷タブＴＢ３２を操作してプリンタドライバ４１１をクロップ印刷設定モードに切り替えた後、ユーザＩＦ１８を用いて確認ボタンＡ４２を押下した場合を説明する（Ｓ４２：ＮＯ、Ｓ４８：ＮＯ、Ｓ１６：ＹＥＳ）。ＣＰＵ１１は、プリンタ２に設定されている用紙サイズをプリンタ２から取得する（Ｓ１８）。Ｓ１８の処理は取得処理の一例である。
【００５７】
用紙サイズの取得は、例えば、プリンタドライバ４１１がプリンタ２に対して用紙サイズの計測指示を送信し、その計測結果を受信することにより行ってもよい。プリンタ２は、キャリブレーションを実行して用紙サイズを検出してもよいし、印刷媒体２２を収容するカセットの識別子から用紙サイズを検出してもよい。これによれば、プリンタ２が用紙サイズを実測するので、ＰＣ１は、プリンタ２に現在セットされている印刷媒体２２の用紙サイズを自動的に取得することができる。
【００５８】
なお、ＰＣ１がプリンタ２から取得する用紙サイズは、プリンタ２に現在セットされている用紙サイズに厳密に限定されない。すなわち、プリンタドライバ４１１がプリンタ２に設定されている用紙サイズの送信をプリンタ２に要求した場合に、プリンタ２のメモリ内に記憶されている用紙サイズを応答してもよい。プリンタドライバ４１１は、プリンタ２からの応答を受信することにより、用紙サイズを取得してもよい。また例えば、プリンタ２は、用紙カセットが外されている場合、直前にセットされていたカセットに対応する用紙サイズをＰＣ１に返信してもよい。
【００５９】
用紙サイズを取得したＣＰＵ１１は、取得した用紙サイズに対応する設定データが登録ＤＢ４２にあるか否かを判断する（Ｓ２０）。すなわち、ＣＰＵ１１は、取得した用紙サイズと、図４に示す登録ＤＢ４２に記憶されている用紙サイズ４４２とを比較し、取得した用紙サイズに最も近い用紙サイズ４４２を読み出す。そして、ＣＰＵ１１は、読み出した用紙サイズ４４２が取得した用紙サイズと所定の誤差範囲内であるか否かを判断する。
【００６０】
ＣＰＵ１１は、読み出した用紙サイズ４４２が取得した用紙サイズと所定の誤差範囲内であると判断した場合には、取得した用紙サイズに対応する設定データが登録ＤＢ４２にあると判断する（Ｓ２０：ＹＥＳ）。この場合、ＣＰＵ１１は、読み出した用紙サイズ４４２を含むレコードを登録ＤＢ４２から読み出す（Ｓ２２）。これにより、ＣＰＵ１１は、取得した用紙サイズと同じ用紙サイズに対応する設定データ４４を登録ＤＢ４２から抽出できる。なお、Ｓ２０，Ｓ２２の処理は、抽出処理の一例である。
【００６１】
ＣＰＵ１１は、登録ＤＢ４２から抽出した設定データ４４に含まれる設定項目について、ＲＡＭ１３に一時記憶されている印刷設定値を、登録ＤＢ４２から抽出した設定データ４４の設定値で上書きする（Ｓ２４）。なお、抽出した設定データ４４に含まれない設定項目については、現在の設定値が維持される。Ｓ２４の処理は、変更処理の一例である。
【００６２】
その後、ＣＰＵ１１は、ＲＡＭ１３に記憶されている印刷設定値からモードを特定できるか否かを判断する（Ｓ２６）。モードを特定できると判断した場合（Ｓ２６：ＹＥＳ）、そのモードがプリンタドライバ４１１の現在のモードと一致するか否かを判断する（Ｓ２８）。
【００６３】
例えば、プリンタ２から取得した用紙サイズが、用紙幅６０ｍｍ、用紙長さ３０ｍｍである場合、ＣＰＵ１１は、登録ＤＢ４２から登録番号「２」の設定データ４４を抽出し、ＲＡＭ１３の設定値に上書きする（Ｓ２０：ＹＥＳ、Ｓ２２、Ｓ２４）。これにより、ＲＡＭ１３のモードは、「クロップ印刷設定モード」になる。プリンタドライバ４１１は、クロップ印刷設定画面Ｄ４をディスプレイ１９に表示させており、現在のモードがクロップ印刷設定モードである。
【００６４】
よって、ＣＰＵ１１は、ＲＡＭ１３の設定値からモードを特定でき、その特定したモードがプリンタドライバ４１１の現在のモードと一致すると判断し（Ｓ２６：ＹＥＳ、Ｓ２８：ＹＥＳ）、一致報知を行う（Ｓ５２）。一致報知は、例えば、プリンタ２にセットされている用紙がクロップ印刷に対応していることを示すメッセージをディスプレイ１９に表示したり、音声により通知したりすることにより行う。
【００６５】
この場合、ＣＰＵ１１は、設定画面を維持して、プリンタドライバ４１１を基本印刷設定モードに切り替えず、Ｓ２４にて上書きされたＲＡＭ１３の設定値を反映する（Ｓ５４）。このＲＡＭ１３の設定値は、用途が「商品ラベル」である。そのため、クロップ印刷設定画面Ｄ４の表示を維持する状態で、クロップ設定欄ＳＡ４１の表示は、ラジオボタンＲ４１が選択された状態から、商品ラベルをクロップ印刷することを設定するラジオボタンＲ４２が選択された状態に、遷移する。また、用紙サイズ欄ＳＡ４２の表示も、ＲＡＭ１３の用紙サイズに応じて遷移する。
【００６６】
なお、プリンタ２から取得した用紙サイズが、用紙幅１０５ｍｍ、用紙長さ５０ｍｍである場合、ＣＰＵ１１は、登録ＤＢ４２から登録番号「４」の設定データ４４を抽出し、ＲＡＭ１３の設定値に上書きする（Ｓ２０：ＹＥＳ、Ｓ２２、Ｓ２４）。この場合、ＣＰＵ１１は、登録番号「２」の設定データ４４を抽出した場合と同様に、クロップ印刷設定画面Ｄ４の表示を維持する。このとき、ＲＡＭ１３に記憶される用途の設定値が「発送ラベル」であるので、クロップ設定欄ＳＡ４１は、商品ラベルをクロップ印刷することを設定するラジオボタンＲ４３が選択される。
【００６７】
よって、ユーザは、ラジオボタンＲ４２，Ｒ４３の選択状態から、プリンタ２にセットされている用紙が商品ラベルの印刷に適合するか、発送ラベルの印刷に適合するかを推測できる。例えば、商品ラベルの印刷を行う場合に、ラジオボタンＲ４３が選択されていれば、ユーザは、プリンタ２にセットされている印刷媒体２２を商品ラベルに適した用紙に交換することが期待でき、商品ラベルに不適合な印刷媒体２２をプリンタ２にセットしたままクロップ印刷を行い、印刷に失敗することを回避できる。
【００６８】
上記に対して、例えば、プリンタ２から取得した用紙サイズが、用紙幅３０ｍｍ、用紙長さ６０ｍｍである場合、ＣＰＵ１１は、登録ＤＢ４２から登録番号「１」の設定データ４４を抽出し、ＲＡＭ１３の設定値に上書きする（Ｓ２０：ＹＥＳ、Ｓ２２、Ｓ２４）。これにより、ＲＡＭ１３のモードは、「基本印刷設定モード」になる。プリンタドライバ４１１は、クロップ印刷設定画面Ｄ４をディスプレイ１９に表示させており、現在のモードがクロップ印刷設定モードである。
【００６９】
よって、ＣＰＵ１１は、ＲＡＭ１３のモードがプリンタドライバ４１１の現在のモードと一致しないと判断し（Ｓ２６：ＹＥＳ、Ｓ２８：ＮＯ）、エラーを報知する（Ｓ３０）。Ｓ３０の処理は報知処理の一例である。エラーの報知は、例えば図１０に示すダイアログＤＬ６をディスプレイに表示させることにより行う。ダイアログＤＬ６には、例えば、プリンタにセットされている用紙がクロップ印刷に対応しませんなど、用紙に関するメッセージが表示される。ダイアログＤＬ６には、プリンタ２にセットされている用紙をユーザが交換するか否かを確認するためのアイコンＡ６１、Ａ６２が設けられている。なお、エラーの報知は、エラーメッセージの表示でなく、音声により行ってもよい。また、ダイアログＤＬ６に、用紙サイズ交換のガイダンスを表示させてもよい。
【００７０】
ＣＰＵ１１は、ＯＫアイコンＡ６１とキャンセルアイコンＡ６２の操作に応じて、ユーザが用紙を交換するか否かを判断する（Ｓ３２）。ユーザは、プリンタ２の用紙を交換する場合、ユーザＩＦ１８を用いて、ＯＫアイコンＡ６１を押下する。すると、図７に示すように、ＣＰＵ１１は、ユーザが用紙交換を行うと判断し（Ｓ３２：ＹＥＳ）、プリンタ２から用紙交換完了の通知を受信したか否かを判断する（Ｓ５８）。ＣＰＵ１１は、用紙交換完了の通知を受信するまで（Ｓ５８：ＮＯ）、待機する。ＣＰＵ１１は、用紙交換完了の通知を受信すると（Ｓ５８：ＹＥＳ）、Ｓ１６の処理に戻る。
【００７１】
一方、ユーザは、プリンタ２の用紙を交換しない場合、ユーザＩＦ１８を用いて、キャンセルアイコンＡ６２を押下する。すると、ＣＰＵ１１は、ユーザが用紙交換を行わないと判断し（Ｓ３２：ＮＯ）、設定画面を切り替える（Ｓ３４）。ＣＰＵ１１は、クロップ印刷設定画面Ｄ４を表示している状態であるので、表示を基本設定画面Ｄ３に切り替える。これにより、プリンタドライバ４１１を基本印刷設定モードに切り替えられる。この画面切替により、クロップ印刷に不適合な用紙がプリンタ２にセットされていることが推測できる。例えば、商品ラベルを印刷する場合、ユーザがプリンタ２にセットされている用紙を商品ラベル用の用紙に交換することが期待できる。Ｓ３４の処理は、切替処理の一例である。
【００７２】
上記のように基本設定画面Ｄ３又はクロップ印刷設定画面Ｄ４を表示したＣＰＵ１１は、タブ選択が変更されたか否かを判断する（Ｓ３６）。なお、Ｓ３６以降の処理は、基本設定画面Ｄ３を表示している場合も、クロップ印刷設定画面Ｄ４を表示している場合も共通する処理である。ＣＰＵ１１は、基本設定画面Ｄ３を表示している状態で、クロップ印刷タブＴＢ３２が操作された場合（Ｓ３６：ＹＥＳ）、表示をクロップ印刷設定画面Ｄ４に切り替え（Ｓ３８、Ｓ４０）、クロップ印刷設定画面Ｄ４を表示している状態で、基本設定タブＴＢ３１が操作された場合（Ｓ３６：ＹＥＳ）、表示を基本設定画面Ｄ３に切り替える（Ｓ３８、Ｓ４０）。
【００７３】
ＣＰＵ１１は、クロップ印刷設定画面Ｄ４又は基本設定画面Ｄ３の表示中に、ユーザＩＦ１８が操作されると、変更操作を受け付けたと判断する（Ｓ３６：ＮＯ、Ｓ４２：ＹＥＳ）。この場合、ＣＰＵ１１は、変更操作に応じて、表示中の画面の表示を変更し（Ｓ４４）、ＲＡＭ１３の設定値を変更する（Ｓ４６）。
【００７４】
ユーザが、ユーザＩＦ１８を用いて、クロップ印刷設定画面Ｄ４又は基本設定画面Ｄ３のＯＫボタンＡ３１を押下すると（Ｓ３６：ＮＯ、Ｓ４２：ＮＯ、Ｓ４８：ＹＥＳ）、ＣＰＵ１１は、レジストリに記憶されている現在の印刷設定値を、ＲＡＭ１３に一時記憶している印刷設定値で上書きすることにより更新し（Ｓ５０）、印刷設定処理を終了する。
【００７５】
ＣＰＵ１１は、印刷設定処理を終了すると、図６に示すダイアログＤＬ１をディスプレイ１９に表示させる。ＣＰＵ１１は、印刷ボタンＡ３が押下されることにより、印刷実行指示を受け付け、汎用アプリ４０からプリンタドライバ４１１に、Ａ４サイズの画像データを渡す。
【００７６】
ＣＰＵ１１は、レジストリから印刷設定値を読み出し、印刷データとコマンドを生成する。このとき、例えば、印刷設定値に含まれるクロップ印刷の設定値がオン、用途が「商品ラベル」である場合、ＣＰＵ１１は、Ａ４サイズの画像データから画像７の画像データを抽出し、印刷データを生成する。そして、ＣＰＵ１１は、プリンタドライバ４１１を用いて、印刷設定値に含まれる用紙サイズの印刷領域に印刷データを収めるように画像データを生成し、プリンタ２が読み取り可能な形式に変換する。そして、ＰＣ１は、変換した画像データを含む印刷コマンドをプリンタ２に出力する。プリンタ２は、印刷コマンドに従って、１枚の用紙２２２に画像７を１個ずつ印刷していく。なお、用途が商品ラベルである場合、印刷コマンドに含まれるオートカットには「なし」を設定されている。よって、プリンタ２は、印刷時に印刷媒体２２をカットしない。
【００７７】
従って、本形態のプリンタドライバ４１１は、プリンタドライバ４１１のモードが関連付けられた設定データ４４の中に、プリンタ２に現在設定されている印刷媒体２２の用紙サイズに対応する設定データ４４があり、その設定データ４４に関連付けられるモードが現在のモードに対応していない場合に、用紙サイズに関する報知を行う。これにより、不適切な用紙がプリンタ２にセットされていることをユーザが推測することができる。よって、本形態のプリンタドライバ４１１によれば、不適切な用紙サイズが選択されている状態で商品ラベルや発送ラベルの印刷が行われることを回避でき、ユーザがプリンタ２まで移動して用紙サイズを確認する手間を低減することができる。
【００７８】
具体的に例えば、クロップ印刷設定画面Ｄ４の確認ボタンＡ３２が押下され、登録ＤＢ４２から登録番号「１」の設定データ４４を抽出した場合、ＣＰＵ１１は、抽出した設定データ４４のモード４４３である「基本印刷設定モード」と、プリンタドライバ４１１の現在のモードである「クロップ印刷設定モード」とが一致しない。この場合、ＣＰＵ１は、画面を基本設定画面Ｄ３に自動的に切り替える（Ｓ１６：ＹＥＳ、Ｓ１８、Ｓ２０：ＹＥＳ、Ｓ２２、Ｓ２４、Ｓ２６：ＹＥＳ、Ｓ２８：ＮＯ、Ｓ３０、Ｓ３２：ＮＯ、Ｓ３４）。そして、ユーザが基本設定画面Ｄ３のクロップ印刷タブＴＢ３２を操作すると（Ｓ３６：ＹＥＳ）、ＣＰＵ１１は、ラジオボタンＲ４１を選択したクロップ印刷設定画面Ｄ４を表示する。このように、ＣＰＵ１１は、モード４４３の設定値が「基本印刷モード」である設定データ４４を登録ＤＢ４２から抽出した場合、ユーザがクロップ印刷タブＴＢ３２を操作しない限り、プリンタドライバ４１１はクロップ印刷処理を実行しない。よって、プリンタ２にクロップ印刷に不適合な用紙がセットされた状態でクロップ印刷が行われる可能性が低くなり、クロップ印刷に失敗する可能性が低減する。
【００７９】
ここで、例えば、非純正用紙の用紙サイズは、ユーザが登録しない限り、登録ＤＢ４２に登録されていない。そのため、プリンタ２に非純正用紙がセットされている場合、ＣＰＵ１１は、プリンタ２から用紙サイズを取得しても、設定データを登録ＤＢ４２から抽出できないことがある（Ｓ２０：ＮＯ）。この場合、ＣＰＵ１１は、登録処理を実行し（Ｓ５６）、Ｓ１６に戻る。
【００８０】
また例えば、図４の登録番号「５」の設定データ４４のように、モード４４３に設定値が設定されていることがある。プリンタ２から取得した用紙サイズが、用紙幅５０ｍｍ、用紙長さ１０５ｍｍで、登録番号「５」の用紙サイズと同じ場合、ＣＰＵ１１は、登録番号「５」の設定データ４４を抽出し、ＲＡＭ１３の設定値を当該設定データ４４で上書きしても（Ｓ２０：ＹＥＳ、Ｓ２２、Ｓ２４）、モードを特定できない（Ｓ２６：ＮＯ）。この場合、ＣＰＵ１１は、登録処理を実行し（Ｓ５６）、Ｓ１６に戻る。尚、登録処理は、第１記憶処理、第２記憶処理の一例である。
【００８１】
登録処理について、図１１を参照して説明する。図１１（ａ）に示すように、ＣＰＵ１１は、追加登録確認メッセージをディスプレイ１９に表示させる（Ｓ６２）。例えば、ＣＰＵ１１は、図１１（ｂ）に示すダイアログＤＬ５をディスプレイ１９に表示させる。ダイアログＤＬ５には、例えば、設定を追加するか否かを確認するメッセージと、追加登録を指示するＯＫアイコンＡ５１と、追加登録を指示しないキャンセルアイコンＡ５２が表示されている。ＣＰＵ１１は、アイコンＡ５１，Ａ５２の操作に応じて、追加登録指示を受け付けたか否かを判断する（Ｓ６４）。
【００８２】
ＣＰＵ１１は、ユーザＩＦ１８を用いてキャンセルアイコンＡ５２が押下された場合、追加登録指示を受け付けないと判断し（Ｓ６４：ＮＯ）、登録処理を終了する。一方、ユーザＩＦ１８を用いてＯＫアイコンＡ５１が押下された場合、ＣＰＵ１１は、追加登録指示を受け付けたと判断し（Ｓ６４：ＹＥＳ）、取得した用紙サイズをＲＡＭ１３に記憶して設定する（Ｓ６６）。そして、ＣＰＵ１１は、プリンタ２から取得した用紙サイズが登録ＤＢ４２に登録済みか否かを判断する（Ｓ６８）。
【００８３】
例えば、ＣＰＵ１１は、例えば、プリンタ２から取得した用紙サイズが、用紙幅９０ｍｍ、用紙長さ１０５ｍｍである場合、図４に示す登録ＤＢ４２に登録されていない（Ｓ６８：ＮＯ）。この場合、ＣＰＵ１１は、プリンタ２から取得した用紙サイズが図５に示す用紙ＤＢ４５に記憶されているか否かを判断する（Ｓ７０）。用紙ＤＢ４５には、用紙幅９０ｍｍ、用紙長さ１０５ｍｍの用紙サイズが記憶されている（Ｓ７０：ＹＥＳ）。この場合、ＣＰＵ１１は、当該用紙サイズに関連付けられたモード、すなわち、クロップ印刷設定モードを、ＲＡＭ１３に記憶し（Ｓ７８）、Ｓ７４に進む。
【００８４】
また例えば、プリンタ２から取得した用紙サイズが、用紙幅６０ｍｍ、用紙長さ４５ｍｍである場合、当該用紙サイズは、登録ＤＢ４２に登録されていないが、用紙ＤＢ４５に登録されている（Ｓ６８：ＮＯ、Ｓ７０：ＹＥＳ）。この場合、ＣＰＵ１１は、用紙ＤＢ４５において、当該用紙サイズに関連付けられた基本印刷設定モードを、ＲＡＭ１３に記憶し、Ｓ７４に進む。
【００８５】
これに対して、例えば、プリンタ２に非純正用紙がセットされ、プリンタ２から取得した用紙サイズが用紙幅２００ｍｍである場合、当該用紙サイズが登録ＤＢ４２にも、用紙ＤＢ４５にも登録されていない（Ｓ６８：ＮＯ、Ｓ７０：ＮＯ）。この場合、ＣＰＵ１１は、ユーザＩＦ１８を用いてモードの選択を受け付け（Ｓ７２）、Ｓ７４に進む。
【００８６】
更に、例えば、ＣＰＵ１１は、プリンタ２から取得した用紙サイズが、用紙幅５０ｍｍ、用紙長さ１０５ｍｍの場合、図４に示す登録番号「５」の設定データ４４に基づいて、当該用紙サイズが登録ＤＢ４２に登録されていると判断する（Ｓ６８：ＹＥＳ）。登録番号「５」の設定データは、モード４４３に設定値が設定されていない。そこで、ＣＰＵ１１は、ユーザＩＦ１８を用いてモードの選択を受け付け（Ｓ７２）、Ｓ７４に進む。
【００８７】
ＣＰＵ１１は、Ｓ７４にて、用紙サイズとモード以外の情報が設定されると、用紙サイズとモードとその他の情報を関連付けた設定データを、登録ＤＢ４２に記憶させ、追加登録する（Ｓ７６）。なお、本形態では、設定データに関連付けられるモードは、ユーザの選択又は用紙ＤＢ４５に基づいて設定するが（Ｓ７２、Ｓ７８）、登録処理を行う際にプリンタドライバ４１１に現在設定されているモードとしてもよいし、デフォルト設定されているモードであってもよい。図１１（ａ）に示す登録処理を行ったＣＰＵ１１は、図７のＳ１６に戻る。
【００８８】
従って、本形態のプリンタドライバ４１１は、登録ＤＢ４２に登録されていない新たな用紙サイズをプリンタ２から取得し、検出した場合に、その用紙サイズを登録ＤＢ４２に登録することで、次回からは、その用紙サイズについても適切にエラー報知又は一致報知を行うことができる。また、本形態のプリンタドライバ４１１は、登録ＤＢ４２に登録されているが、モードを特定できない用紙サイズをプリンタ２から取得し、検出した場合に、その用紙サイズに対応する設定データとしてモードを特定できる新たな設定データを登録ＤＢ４２に記憶することで、次回からは、その用紙サイズについても適切にエラー報知又は一致報知を行うことができる。
【００８９】
なお、本実施の形態は単なる例示にすぎず、本発明を何ら限定するものではない。したがって本発明は当然に、その要旨を逸脱しない範囲内で種々の改良、変形が可能である。例えば、ＰＣやプリンタの台数は、図示の例に限らない。また、プリンタ２の印刷方式は、熱転写方式に限らず、例えば、インクジェット方式、電子写真方式、感熱方式でもよい。また、印刷媒体２２は、ラベルに限らず、例えば、単なるロール紙でもよい。さらに、クロップ印刷設定モードは、お薬手帳ラベルの印刷設定を行うモードであってもよい。
【００９０】
本発明を、ラベルプリンタ以外に、ロール紙に印刷するロール紙プリンタに適用してもよいし、カット紙に印刷するカット紙プリンタに適用してもよい。プリンタ機能だけでなく、スキャナ機能などを備えた複合機に適用してもよい。
【００９１】
基本印刷設定モードとクロップ印刷設定モードの切替は、画面の切替でなく、各設定項目の入力可否によって行ってもよい。例えば、基本印刷設定モードである場合、標準設定項目を選択可能に表示し、クロップ印刷設定項目を選択不可能に表示し、クロップ印刷設定モードである場合、クロップ印刷設定項目を選択可能に表示し、クロップ印刷に用いない印刷設定項目を選択不可能に表示したりするようにしてもよい。この場合も、モード切替時にユーザに可否を入力させるようにしてもよい。
【００９２】
印刷設定処理の開始時にクロップ印刷設定モードとして起動するようにプリンタドライバ４１１をプログラミングし、Ｓ１４の処理を省略してもよい。また、Ｓ１６に示す処理を省略し、プリンタ２から用紙サイズを自動的に取得するようにしてもよい。用紙サイズの自動検知を強制的に行う場合、クロップ印刷設定画面Ｄ４の確認ボタンＡ４２を省略してもよい。用紙サイズを自動検知する場合、起動時の用紙サイズの自動検知をオプション設定に従って行うようにしても良い。この場合、オプション設定において自動検知が選択された場合、確認ボタンＡ４２を消去あるいはグレーアウト表示し、操作できないようにしてもよい。ただし、クロップ印刷設定モードである場合に、確認ボタンＡ４２を押下するタイミングで用紙サイズを取得することで、クロップ印刷の失敗を未然に防ぐことが期待できる。
【００９３】
図７に示すＳ３４に示す処理は、省略してもよい。図１１（ａ）のＳ７２、Ｓ７８の処理を省略してよい。但し、Ｓ７２の処理のように、用紙サイズ毎にモードを選択させることにより、ユーザのニーズに適した設定データを登録ＤＢ４２に記憶させることができる。また、Ｓ７８の処理を行うことにより、ユーザがモードを入力する手間を低減できる。
【００９４】
本形態のプリンタドライバ４１１は、図７に示すＳ５６の登録処理を行うことで、登録ＤＢ４２への登録機能を有している。しかし、登録ＤＢ４２への登録は、プリンタドライバ４１１に限るものではない。例えば、登録ＤＢ４２への登録用のアプリを設けてもよい。この場合、プリンタドライバ４１１から独立し、ＯＳ４１の管轄外にある登録用のアプリが、登録処理を行う。登録用のアプリは、ユーザ任意のタイミングで起動され、あるいは、プリンタドライバ４１１が図７に示すＳ２０の処理において設定データがないと判断したことを契機に、プリンタドライバ４１１から起動される。登録用のアプリは、記憶用のプログラムの一例である。プリンタドライバ４１１は、設定用のプログラムの一例である。
【００９５】
Ｓ５６の登録処理は、省略してもよいし、Ｓ５０の処理後に実行してもよい。また、未登録の用紙サイズに対応する設定データ、又は、モードを特定できない設定データは、ユーザの操作により、登録ＤＢ４２に新たに登録されてもよい。つまり、設定データ４４の追加登録を行う場合、例えば、用紙サイズやモードをユーザに入力させ、登録指示を受け付けた場合に、登録ＤＢ４２に新たな設定データを登録するようにしてもよい。この処理は、第３記憶処理の一例である。設定データ４４を手動入力できるようにすることにより、ユーザによって不測の設定データ４４が登録ＤＢ４２に記憶されることが回避され、利便性が向上する。
【００９６】
例えば、Ｓ３０のエラー報知において、用紙サイズが現在のモードと一致しないメッセージを表示せず、単にモードが不一致であることだけを報知してもよい。ただし、用紙サイズが現在のモードに対応していないことを報知することにより、ユーザが用紙を交換することを期待できる。
【００９７】
例えば、Ｓ２４の処理は、省略してもよい。ただし、Ｓ２４の処理を実行することにより、ユーザが印刷設定を変更する手間を省くことができる。
【００９８】
Ｓ２８において、ＲＡＭ１３の用途が商品ラベルまたは発送ラベルであれば、ＲＡＭ１３のモードがクロップ印刷設定モードであるとし、ＲＡＭ１３の用途が商品ラベルまたは発送ラベルでなければ、ＲＡＭ１３のモードが基本印刷設定モードであるとして、現在のモードと比較してもよい。この場合、登録ＤＢ４２にモード４４３を設けなくてもよい。
【００９９】
基本設定画面Ｄ３及びクロップ印刷設定画面Ｄ４に、「拡張設定」、「その他の設定」のタグがあり、それらの設定値が印刷設定に含まれてもよい。
【０１００】
上記形態では、プリンタ２から印刷媒体２２の幅と長さを含む用紙サイズを取得したが、幅のみを用紙サイズとしいて取得しても良い。
【０１０１】
基本設定画面Ｄ３にも確認ボタンＡ４２を設け、基本設定画面Ｄ３を表示した直後に、図７のＳ１６以降の処理が実行されるようにしてもよい。すなわち、基本設定画面Ｄ３の確認ボタンＡ４２が押下された場合（Ｓ１６：ＹＥＳ）、登録ＤＢ４２から抽出した設定データ４４のモード４４３と、プリンタドライバ４１１の現在のモードが一致しなければ（Ｓ２８：ＮＯ）、ＣＰＵ１１は、画面をクロップ印刷設定画面Ｄ４に切り替えるようにしてもよい（Ｓ３４）。そして、登録ＤＢ４２から抽出した設定データ４４のモード４４３と、プリンタドライバ４１１の現在のモードが一致すれば（Ｓ２８：ＹＥＳ）、ＣＰＵ１１は、基本設定画面Ｄ３の表示を維持したまま、Ｓ２４でＲＡＭ１３に記憶した設定値を基本設定画面Ｄ３に反映するようにしてもよい（Ｓ５４）。
【０１０２】
また、実施の形態に開示されている任意のフローチャートにおいて、任意の複数のステップにおける複数の処理は、処理内容に矛盾が生じない範囲で、任意に実行順序を変更できる、または並列に実行できる。
【０１０３】
また、実施の形態に開示されている処理は、単一のＣＰＵ、複数のＣＰＵ、ＡＳＩＣなどのハードウェア、またはそれらの組合せで実行されてもよい。また、実施の形態に開示されている処理は、その処理を実行するためのプログラムを記録した記録媒体、または方法等の種々の態様で実現することができる。
【符号の説明】
【０１０４】
１  ＰＣ
２  プリンタ
１１  ＣＰＵ
１４  不揮発性メモリ
１６  ネットワークＩＦ
１７  ＵＳＢ−ＩＦ
１８  ユーザＩＦ
１９  ディスプレイ
４１１  プリンタドライバ
【図１】
2020149384.tif 000003
【図２】
2020149384.tif 000004
【図３】
2020149384.tif 000005
【図４】
2020149384.tif 000006
【図５】
2020149384.tif 000007
【図６】
2020149384.tif 000008
【図７】
2020149384.tif 000009
【図８】
2020149384.tif 000010
【図９】
2020149384.tif 000011
【図１０】
2020149384.tif 000012
【図１１】
2020149384.tif 000013